Podtech/llm-jp-corpus-v4-ja_patent huggingface dataset:
(57)【要約】【課題】  箒の先端にゴム等の弾力性のある棒状の部材を用いることにより、芝を強くこすっても芝をいためることなく、芝の中にしつこく混じりこんだ枯葉やごみを効果的に掃き出し、且つ、芝を痛めることなく掃除が出来る用具の考案である。【解決手段】  箒の柄１をアルミ製又はカーボン製にすることにより軽量化し、箒の先端に弾力性のある四角の棒状の部材２を等間隔に配置することにより実現する。また、四角の棒状の部材は交換ができるようにして、芝箒の耐用年数の向上を図る。【選択図】図１
2006034830.tif 000002
【特許請求の範囲】
【請求項１】
箒の材料にゴム等の弾力性のある棒状の部材を取り付け、芝の掃除を容易にした芝箒
【発明の詳細な説明】
【技術分野】
【０００１】
本発明は、芝のごみを効果的に掃くことが出来るように、箒の先端にゴム等の弾力性のある棒状の部材を利用したものである。
【背景技術】
【０００２】
芝の中にあるごみや芝を刈った後の芝くずの掃除は、一般的に使われている竹箒では、芝の中につかえているごみ等が取りにくく、また、熊手の場合には、芝のつるに引っかかり扱いずらいというのが現状である。
【０００３】
このれらの問題点を解決するため、ゴム等の弾力性のある棒状の部材を箒の先端に利用し、芝の中のごみを効果的に掃きだす箒を開発した。
【発明の開示】
【発明が解決しようとする課題】
【０００４】
最近のガーデニングブームにより、庭に芝を配置する家庭が多くなっているが、芝を美しく整備するには、雑草の除去、水撒き、芝刈りなど結構手がかかるものである。芝の手入れの一つに枯葉等のごみや芝くずの除去があり、竹箒、熊手など一般的な箒用具を使っているが、芝の中に混じり込んだ枯葉やごみは、竹箒ではなかなか取り除きにくく、また、熊手のようなものでは、芝のつるが絡まり扱いが厄介で無理をして引っ張ると芝をいためるなどの難点がある。
【課題を解決するための手段】
【０００５】
そこで、本発明は、箒の先端にゴム等の弾力性のある棒状の部材を用いることにより、芝を強くこすっても芝をいためることなく、芝の中にしつこく混じりこんだ枯葉やごみを効果的に掃き出し、且つ芝を痛めることがない掃除用具を開発したものである。
【発明の効果】
【０００６】
本発明の芝箒は、軽量で家庭の誰もが簡単に芝の掃除が行えるため、いままでのように苦労をすることなく、容易に、きれいな芝を保持できる効果がある。
【発明を実施するための最良の形態】
【０００７】
本発明は、図１の箒の柄１を強度のあるアルミ等の材料を使うことにより軽量化し、箒の先端にゴム等の弾力性のある四角の棒状の部材２を等間隔に配置することにより実現できる。また、四角の棒状の部材は交換できるようにして、芝箒の耐用年数の向上を図る。
【図面の簡単な説明】
【０００８】
【図１】実施例の斜視図である。
【図２】実施例の正面図である。
【図３】実施例の側面図である。
【符号の説明】
【０００９】
１    箒の柄
２    棒状の部材
３    取り付け金具
４    ねじ
【図１】
2006034830.tif 000003
【図２】
2006034830.tif 000004
【図３】
2006034830.tif 000005
(57)【要約】【課題】  容易かつ安全に、白血球中におけるアポトーシス顆粒球の割合を増加せしめた血液の提供。【解決手段】  体外に取り出した血液を温度３７〜４５℃にて０．５〜３時間温熱処理する。【選択図】  なし【特許請求の範囲】
【請求項１】
体外に取り出した血液を温度３７〜４５℃にて０．５〜３時間温熱処理することを特徴とする白血球中のアポトーシス顆粒球を増加せしめた血液の製造方法。
【発明の詳細な説明】
【技術分野】
【０００１】
本発明は、白血球中のアポトーシス（Apoptosis:寿命死・自然死）顆粒球を増加せしめた血液の製造方法に関する。
【背景技術】
【０００２】
生来免疫の主役である白血球中の顆粒球は永い間、細菌・寄生虫・異物等の喰食や抗原提示による抗体産生、そして補体やサイトカインの活性をもたらし生命を守って来た重要な免疫系である。しかしながら今日の社会や生活環境、医療等の進歩に伴い細菌の減少、寄生虫の絶滅等、本来顆粒球の重要な仕事の対象であった敵が非常に少なくなっている。それにも拘らず骨髄ではあいかわらず以前と同様、連日この様な顆粒球を沢山作り続けている。この産生と消費のバランスが崩れているのが現代と云っても過言ではない。そしてこのバランスを回復せんが為に細菌や寄生虫の代わりに花粉や自己の抗原等にその働き場を求め、その強烈な薬理作用、活性酸素、エラスターゼ（酵素）、サイトカイン（ＩＬ−Ｉ，ＴＮＦ・・・）を産生し、自らの身体を傷つけ、かつ慢性的に炎症をもたらしいわゆる現代の難病、リューマチ、潰瘍性大腸炎、ベーチェット等の自己免疫疾患や癌に免疫不全を招来し、ある時は致死的にある時は長期に亘る病態を提示しているのが現状である。
【０００３】
而して、斯かる顆粒球の活動を制御すべく、当該顆粒球を血液の体外循環によりカラムに吸着せしめて除去する方法が既に報告されている（例えば特許文献１参照）。
しかしながら、この方法の実施には、吸着用カラムの生産コストが高いと云う問題があると共に、そもそも体外循環であるが故に操作の複雑さ、安全性確保等の点で多くの問題があるのが実状であった。
【特許文献１】特開平２−１９３０６９号公報
【発明の開示】
【発明が解決しようとする課題】
【０００４】
本発明は上記の如き従来の問題と実状に鑑みてなされたもので、より安価に、しかも操作性、安全性に優れた白血球中の顆粒球の活動を制御する方法を提供することを課題とする。
【課題を解決するための手段】
【０００５】
本発明者は、上記課題を解決すべく種々研究を重ねた結果、体外に取り出した血液を特定の温度で温熱処理すれば、白血球中の顆粒球がアポトーシスに至ることを見い出し、本発明を完成した。
【０００６】
すなわち、本発明は、体外に取り出した血液を温度３７〜４５℃にて０．５〜３時間温熱処理することを特徴とする白血球中のアポトーシス顆粒球を増加せしめた血液の製造方法により上記課題を解決したものである。
【発明の効果】
【０００７】
本発明によれば、極めて容易に、しかも安全に、白血球中におけるアポトーシス顆粒球の割合が増加した血液を得ることができる。而して、当該血液を体外循環システム等にて癌等の患者の体内に戻すことにより、副作用なく、当該患者の病態を改善することができる。
【発明を実施するための最良の形態】
【０００８】
本発明においては、血液の温熱処理を温度３７〜４５℃にて行なう。この温度が３７℃未満の場合には白血球中の顆粒球が殆どアポトーシスに至らず、他方温度が４５℃を超える場合には血漿中のタンパク質の変性・凝集が生じる。
【０００９】
また、本発明において、当該温熱処理の時間は０．５〜３時間である。この処理時間が０．５時間より短かい場合には白血球中の顆粒球が殆どアポトーシスに至らず、他方処理時間が３時間より長い場合には赤血球の変質や血小板の変性が進行し顆粒球以外の細胞や血液の基本的な機能を低下させる。
【００１０】
尚、本発明における温熱処理は、当然に無菌状態にて行なわれる。
【実施例】
【００１１】
以下実施例を挙げて本発明を更に説明する。
【００１２】
実施例１
自他覚症状を持たない健常ボランティア２名（ドナーＡ，ドナーＢ）よりそれぞれ血液５mLを採取した。尚、採血はヘパリンナトリウム真空採血管（テルモ製）を使用して行なった。この採取した各ドナーの血液を、シリココートされたガラス採血管（テルモ製）にそれぞれ１mLずつに分けて、３７℃の恒温槽に３時間静置した。
【００１３】
実施例２
採取した血液を４２℃の恒温槽に３時間静置した以外は実施例１と同様に処理した。
【００１４】
比較例１
採取した血液を温熱処理することなく、家庭用冷蔵庫内（温度４℃）で３時間静置した以外は実施例１と同様に処理した。
【００１５】
比較例２
採取した血液を温熱処理することなく、空調管理された実験室内（温度２５℃）で３時間静置した以外は実施例１と同様に処理した。
【００１６】
試験例
実施例１、２及び比較例１、２で処理した血液を、室温で１時間静置した後、血液スメア標本を作製し、ディフクイック（DiffQuick）染色で、顆粒球のアポトーシスに至った割合を形態学的にカウントした。アポトーシスは、クロマチンの濃縮、核の断片化、細胞の萎小化を伴う明らかなアポトーシスの形態を示す細胞のみをアポトーシス細胞として評価した。クロマチンの濃縮や核の異型を示しアポトーシス類似の形態を示す場合も、明らかにアポトーシスと判別できない場合は生顆粒球として計測した。また、挫滅し核の形態が明確でない顆粒球（細胞質のない顆粒で判別）はしなかった。計測数は、２枚のスメア標本を使用して、最低５００個の顆粒球を観察した。ただし、アポトーシス細胞の割合が１０％を超えない場合は、生顆粒球として５００個を計測した。
その結果は表１のとおりであった。
【００１７】
【表１】
2006034881.tif 000002
(57)【要約】      （修正有）【課題】集合住宅のベランダに設けた隔壁板に物干棹や洗濯紐を懸ける場合に、隣家のベランダ領域に物干棹の端が食み出さないようにするとともに、簡単な方法で洗濯紐を懸けられるようにする。【解決手段】ベランダの隔壁板６に取り付けて物干棹７を懸ける物干具において、水平に形成する基杆１と、押え板２ｂを備え、基杆１の端に接続して鉛直下方に形成する隔壁板懸け２と、押え板３ｂ、３ｃを備え、隔壁板６の内側で隔壁板懸け２と対向する位置で基杆１の下方に接続して鉛直下方に形成する隔壁板挟持体３とを設けて、隔壁板懸け２と隔壁板挟持体３とによって隔壁板６を両側から挟持する構造を成し、また隔壁板６の内側方向に伸びた基杆１の端上方に接続して干し具支持体４を形成し、この干し具支持体４に設けたレバー４ｃの操作によって物干棹７を挟持する構造を成し、かつ干し具支持体４の下方には洗濯紐懸け５を設ける。【選択図】図１
2006034899.tif 000002
【特許請求の範囲】
【請求項１】
集合住宅のベランダの隔壁板を活用して物干棹を懸ける物干具として水平に形成する基杆を中心として隔壁板の隣家側基杆端下方に接続して鉛直に形成する隔壁板懸けを設けこの隔壁板懸けは懸け杆の下端に押え板を設けた構造をなし一方隔壁板の内側に基杆の下方に接続して鉛直に形成する隔壁板挟持体を設けてこの隔壁板挟持体は隔壁板挟持杆の上部に押え板に接続したネジを設け隔壁板挟持杆の下部に押え板に接続したネジを設けた構造を成し当該隔壁板懸けと隔壁板挟持体が隔壁板を当該３枚の押え板が両側から３点で挟む構造を成し隔壁板挟持体に設けた２本のネジによって２枚の押え板が隔壁板を締付けて挟持することによって基杆を隔壁板に固定し他方隔壁板の内側方向に伸びた基杆の端上方に接続して干し具支持体を形成しこの干し具支持体は棹挟みに接続したレバーの操作によって棹挟みが棹受け方向にバネの押圧によって物干棹を挟持する構造を成し干し具支持体の下方には洗濯紐懸けを設け当該基杆の必要な長さは干し具支持体に物干棹を懸けたときに物干棹の端が隔壁板の内側になるような必要十分な長さであることを特徴とするベランダの隔壁板棹懸け。
【発明の詳細な説明】
【技術分野】
【０００１】  本発明は、集合住宅のベランダに設けた隔壁板を活用して物干棹または洗濯紐を懸けるための物干具に関するものである。
【背景技術】
【０００２】  集合住宅のベランダに設けた隔壁板を活用して物干棹を懸ける方法としては当該隔壁板の上に物干棹を載せて懸ける方法が一般的であり、洗濯紐を懸ける方法としては洗濯紐の端に適当な懸け具を結び付けて引っ掛ける方法が一般的である。【０００３】  しかし、前記の一般的な方法では物干棹を隔壁板の上に載せるために物干棹の端が隣家のベランダ領域に食み出してしまう。また、当該洗濯紐を引っ掛けるための金具としては一般的に用意されているものはなく苦心して探しているのが実情である。
【発明の開示】
【発明が解決しようとする課題】
【０００４】  解決しようとする問題点は、集合住宅のベランダに設けた隔壁板を活用して物干棹や洗濯紐を懸ける場合に、隣家のベランダ領域に物干棹の端が食み出さない方法で物干棹を懸ける必要があるとともに、簡単な方法で洗濯紐を懸けられるようにできれば便利である。
【課題を解決するための手段】
【０００５】  集合住宅のベランダの隔壁板を活用して物干棹を懸ける物干具として水平に形成する基杆を中心として隔壁板の隣家側基杆端下方に接続して鉛直に形成する隔壁板懸けを設けこの隔壁板懸けは懸け杆の下端に押え板を設けた構造をなし一方隔壁板の内側に基杆の下方に接続して鉛直に形成する隔壁板挟持体を設けてこの隔壁板挟持体は隔壁板挟持杆の上部に押え板に接続したネジを設け隔壁板挟持杆の下部に押え板に接続したネジを設けた構造を成し当該隔壁板懸けと隔壁板挟持体が隔壁板を当該３枚の押え板が両側から３点で挟む構造を成し隔壁板挟持体に設けた２本のネジによって２枚の押え板が隔壁板を締付けて挟持することによって基杆を隔壁板に固定し他方隔壁板の内側方向に伸びた基杆の端上方に接続して干し具支持体を形成しこの干し具支持体は棹挟みに接続したレバーの操作によって棹挟みが棹受け方向にバネの押圧によって物干棹を挟持する構造を成し干し具支持体の下方には洗濯紐懸けを設け当該基杆の必要な長さは干し具支持体に物干棹を懸けたときに物干棹の端が隔壁板の内側になるような必要十分な長さであることを特徴とするベランダの隔壁板棹懸けを採用して解決する。
【発明の効果】
【０００６】  本発明によって当該隔壁板へ物千棹または洗濯紐を懸ける方法は、隣家のベランダ領域に物干棹の端が食み出すことなく隣家に対する気遣いの必要がない利点がある。また、洗濯紐懸けも簡単に可能になる。
【発明を実施するための最良の形態】
【０００７】  集合住宅のベランダの左右両方に隔壁板が設けられている場合には本発明を左右の隔壁板に取付けて伸縮自在の物干棹を渡し掛けて物干棹の両端を本発明の干し具支持体で挟持して使用する。または、洗濯紐を本発明の洗濯紐懸けに渡し掛けて使用する。
【実施例１】
【０００８】    図１は、本発明の１実施例の斜視図である。【０００９】  水平に形成する基杆１を中心として、隔壁板６の隣家側に位置する基杆１の端に接続して鉛直下方に懸け杆２ａを形成し懸け杆２ａの下端に押え板２ｂを設けた構造を成す隔壁板懸け２を設ける。【００１０】  隔壁板６の内側に基杆１に接続して鉛直下方に隔壁板挟持杆３ａを形成しこの隔壁板挟持杆３ａの上部に押え板３ｂに接続したネジ３ｄを設け、隔壁板挟持杆３ａの下部に押え板３ｃに接続したネジ３ｅを設けた構造を成す隔壁板挟持体３を設ける。【００１１】  隔壁板懸け２と隔壁板挟持体３によって隔壁板を挟み付ける構造を成し、押え板３ｂと押え板３ｃをそれぞれネジ３ｄとネジ３ｅで隔壁板６に締付けて基杆１を隔壁板６に固定する。【００１２】  隔壁板６の内側方向に伸びる基杆１の端に接続して上方に干し具支持体４を形成し、基杆１の下方に接続して洗濯紐懸け５を設ける。【００１３】  干し具支持体４は、棹挟み４ｂに接続したレバー４ｃを操作することによってバネ４ｅの押圧によって物干棹７を棹受４ａに挟持する構造を成す。【００１４】  基杆１の必要な長さは干し具支持体４に物干棹７を挟持し懸けたときに物干棹７の端が隔壁板６の内側になるような必要十分な長さである。【００１５】  図２は、本発明をベランダの左右の隔壁板６に装着した場合の略図である。
【図面の簡単な説明】
【００１６】
【図１】本発明の斜視図である。
【図２】本発明をベランダの左右の隔壁板に装着した場合の略図である。
【符号の説明】
【００１７】１    基杆
２    隔壁板懸け
２ａ  懸け杆
２ｂ  押え板
３    隔壁板挟持体
３ａ  隔壁板挟持杆
３ｂ  押え板
３ｃ  押え板
３ｄ  ネジ
３ｅ  ネジ
４    干し具支持体
４ａ  棹受
４ｂ  棹挟み
４ｃ  レバー
４ｄ  支点
４ｅ  バネ
５    洗濯紐懸け
６    隔壁板
７    物干棹
【図１】
2006034899.tif 000003
【図２】
2006034899.tif 000004
(57)【要約】【課題】衣類（主に洗濯物の上着）をたたむ際、一般的には目測でおおよその大きにたたむので、たたんだ後の衣類の大きさがばらばらになりきちんと整理整頓できず見た目も綺麗に見えない。さらにたたんだ後の衣類の大きさがばらばらだと収納ボックスや洋服ダンスなどの収納スペースをより有効的に利用することが出来ない。そこで衣類（主に洗濯物の上着）を同じ大きさにたたむための専用シートを提供する。【解決手段】衣類（主に洗濯物の上着）をたたむ際に一枚の長方形のシートを使うことによりそのシートを使ってたたんだ衣類を全て統一の大きさにたたむことが出来るようにする。【選択図】図１
2006034898.tif 000002
【特許請求の範囲】
【請求項１】
私の発明は一枚のシートを使用して衣類をたたみます。このシートの形自体はとてもシンプルな物で一般的によく見かけるものですが、それらの物はそれぞれの用途に合わせて作られているため衣類をたたむことに代用するには向いていません。
そこで私は衣類（主に洗濯物の上着）をたたむための専用のシートを考えました。このシートは衣類のサイズに合わせて男性用、女性用、子供用、さらには洋服ダンスの引き出しや収納ボックスの引き出しのサイズなどを考慮してあるので、見た目も綺麗にたためるうえに収納のスペースを有効的に使える。
【請求項２】
このシートを使用し終わったあとは、シート本体にフックが付いているので洋服と一緒に衣文掛けとして洋服ダンスに掛けておける。また芳香剤や防虫剤などを掛けておくことも出来る。
【請求項３】
このシートの表面及び裏面にオリジナルのデザインを施すことにより衣類の中心を合わせやすく左右均等に衣類をたため、さらにシート本体の見た目もお洒落である。
【発明の詳細な説明】
【技術分野】
【０００１】本発明は、衣類など洗濯物（主に上着）を一枚のシートを使うことによって同じ大きさの長方形に統一してたため簡単に整理整頓できるようにしたものである。
【背景技術】
【０００２】従来は、洗濯後の衣類をたたむ際目測でおおよその大きさにたたんでいた。
【発明の開示】
【発明が解決しようとする課題】
【０００３】通常洗濯物（主に上着）をたたむ場合、目測でおおよその大きさにたたんでいたためにたたみ終わった後の衣類の大きさがばらばらになり、整理整頓がスムーズに行えなかった。更に衣類の大きさがばらばらだと収納スペースを有効に利用することが出来なかった。
【課題を解決するための手段】
【０００４】洗濯後の衣類（主に上着）をたたむ際、一枚の長方形のシートを衣類の胸の部分又は背中の部分に当て、シートのラインに沿ってたたむことによりシートを使ってたたんだ全ての衣類をきちんと同じ大きさの長方形に統一してたたむことができる。
【発明の効果】
【０００５】このシートを使ってたたんだ洗濯物（主に上着）は、全て同じ大きさの長方形にたため、見た目も綺麗に見えるうえ収納がスムーズに行える。またシートが長方形であるため、一枚のシートで２種類のサイズにたたむことが出来るので男性用、女性用、子供用、とサイズの違うものを分けてたため収納するスペースを最大限有効に使うことができる。更にこのシートは図１を見て分かるように２フックが付いているので使用後、本体シートを収納する際に洋服と一緒に洋服ダンスに掛けておけるので収納場所もとらず芳香剤や防虫剤などを掛けておくことも出来る。
【実施例１】
【０００６】まず洗濯後の上着を胸側又は背中側を上に向け広げる。そしてシート本体のどちら側のサイズを使うかをきめ、図４の様に使う側のセンターラインを衣類のタグ等を利用しておおよそ中心に来るように重ねる。
次に図４の６ラインＬに沿って左側を７ラインＲに沿って右側をそれぞれ平行になるようにたたむ。次に衣類の下側も８ラインＢに合わせてたたむこの時、衣類の裾側が９ラインＴをはみ出す場合は三つ折又は四つ折にして９ラインＴに合わせる。
最後に襟口からシート本体を引き抜く。
以上の作業を繰り返すことによりこのシートを使ってたたんだ衣類は、全て同じ大きさに統一してたため更に使い終わったあとシート本体を収納するときは、図１の２フックを出し洋服と一緒に洋服ダンスに掛けておけるので収納の場所もとらずに済む。
【図面の簡単な説明】
【０００７】
【図１】本発明の正面図である。
【図２】本発明を収納する際のフックを出し入れする状態を示す正面図である。
【図３】本発明の使用状態の正面図である。
【図４】本発明の使用例の状態の正面図である。
【符号の説明】
【０００８】１シート本体
２フック
３フック収納口
４縦用センターライン
５横用センターライン
６ラインＬ
７ラインＲ
８ラインＢ
９ラインＴ
【図１】
2006034898.tif 000003
【図２】
2006034898.tif 000004
【図３】
2006034898.tif 000005
【図４】
2006034898.tif 000006
(57)【要約】【課題】  スタミナル細胞又は類似の血液成分の低温保存用のパウチである。【解決手段】  保存される物質（４）と、これに関連し外部との連通手段（５、６）とを有する主パウチ（２）であって、主パウチ（２）及び連通手段（５、６）を収容する完全密封型外部２次パウチ（３）を更に有することを特徴とするスタミナル細胞又は類似の血液成分の低温保存用のパウチが記載されている。【選択図】        図１
2006034961.tif 000002
【特許請求の範囲】
【請求項１】
保存される物質（４）を収容する主パウチ（２）と関連外部との連通手段（５、６）とを有する安全パウチであって、前記主パウチ（２）及び連通手段（５、６）を収容する完全密封型外部２次パウチ（３）を更に有することを特徴とするスタミナル細胞又は類似の血液成分の低温保存用の安全パウチ。
【請求項２】
前記外部２次パウチ（３）が、前記物質（４）を識別するための情報を載せたタグを収納するのに適当な第一外部ポケット（８）を少なくとも一つ有することを特徴とする請求項１に記載の安全パウチ。
【請求項３】
前記主パウチ（２）内のものと同じ物質（４）を収容する試験管（１０）のためのハウジング（９）を少なくとも１つ有することを特徴とする請求項１に記載の安全パウチ。
【請求項４】
前記連通手段（５、６）が、少なくとも１つのフランジブルコネクタ（５）及び少なくとも１つの充填管（６）を有することを特徴とする請求項１に記載の安全パウチ。
【発明の詳細な説明】
【技術分野】
【０００１】
本発明は、スタミナル細胞又は類似の血液成分の低温保存用の安全パウチ（袋）に関する。
【背景技術】
【０００２】
現状のスタミナル細胞用のパウチは、適当なプラスチック材料（例えば、エチルビニルアセテートＥＶＡ）で製造され、必要に応じ密閉されていて、液体窒素と共に稼動する生物学的低温コンテナの中で、通常かなり低い温度（下限温度−１９６℃、通常−１３０℃ないし−１５０℃）で保存されている。
【０００３】
このようなパウチは、完全に水密でないためその内容物が外部雰囲気により汚染されてしまい、またそうなると今度はパウチを汚染するようになってしまうことがあり、生物学的低温コンテナ中に収容された幾つかのパウチの中の一つが汚染される危険性を伴うことがある。
【発明の開示】
【発明が解決しようとする課題】
【０００４】
本発明の目的は、スタミナル細胞又はそれと同様な他の血液成分を収容するパウチを完全に隔離することが可能で、従って完全低温保存を保証出来る装置又は手段を提供することにある。
【課題を解決するための手段】
【０００５】
本発明によれば、上記の目的は、保存される物質と外部との関連連通手段とを有する主パウチ及び主パウチ袋及び連通手段を収容する完全密封型外部２次パウチを有する、スタミナル細胞又は類似の血液成分の低温保存用の安全パウチにより達成される。
【０００６】
この外部パウチがあることにより、絶対的安定で安全な状態で主パウチを取り扱うことができるようになり、主パウチに収容された物質は汚染されることなく従って患者への投与の準備のととのった状態となる。
【発明を実施するための最良の形態】
【０００７】
本発明のこれら及びその他の特徴は、本発明の以下に記載の実施態様の詳細な説明により明らかにされるが、本発明は以下の図に示された例により制限されるものではない。
【０００８】
図１は、内部主パウチ２とこの内部主パウチ２を収容する外部２次パウチ３とを含む安全パウチ１を示している。
【０００９】
内部主パウチ２は保存される物質４を収容し、物質４は一対のフランジブルコネクタ５及び充填管６により充填又は抜き出し可能となっていて、これらは、外部２次パウチ３内に完全に収容されている。
【００１０】
ピンチング７は、一旦、内部主パウチ２が充填されると、充填管６の水密性を保証する。
【００１１】
外部２次パウチ３は、物質４を識別するための情報を載せたタグを収納するのに適している外部ポケット８と、前記物質４と同じものを収容する試験管１０を入れるのに適切な一対のハウジング９を有している。
【００１２】
シール１１は、外部２次パウチ３の完全な水密性を保証する。
【００１３】
パウチ１は、使用者が、完全に安全に取り扱うことを可能とする。仮に前記物質を分析する必要が生じたときには、外部パウチ３を開封することを必要とせずに、試験管１０を使用することができる。
【００１４】
人為的ミスのために試験管の内容物が物質４とは異なったものであるため、前述の分析が絶対的な保証を与えるとは限らない場合も想定されるので、より安全性を高めるため、その物質を患者に導入する前に、充填管６の中にある物質を使用して分析することができる。ここで充填管６の中にある物質は、外部パウチ３のシール１１を押し開いて、抜き出すことができる。
【００１５】
実際には、内部主パウチ２の充填を終了するに際し、ピンチング７により充填管６のシールを行うのである。これらのピンチング７は充填管６のある長さ部分を隔離させるが、その部分には少量の物質が残存することになるが、この物質は、内部主パウチ２の中のものの１部であるので、内部主パウチ２に入れられた物質４であることに絶対間違いないのである。
【００１６】
一旦充填管６の中に収容された物質４に間違いないことが確認されたならば、次いでフランジブルコネクタ５を壊して、これに適切な注入セット（図示せず）を繋いで、これを通して、同じ物質を患者に対して使用することができる。
【図面の簡単な説明】
【００１７】
【図１】本発明にかかる安全パウチの正面図を示すものである。
【図２】図１のＩＩ−ＩＩ線矢視の断面図である。
【図３】図１のＩＩＩ−ＩＩＩ線矢視の断面図である。
【図１】
2006034961.tif 000003
【図２】
2006034961.tif 000004
【図３】
2006034961.tif 000005
(57)【要約】      （修正有）【課題】椅子に長く座っていると疲労が生じてくる，それが治らないので肩こりや不快感が起きる，それを防ぐような椅子を作るのが目的である。【解決手段】椅子の支柱１の内側に芯棒２を作ってレバー３を下に押し椅子を持ち上げてゆらゆらさせることによって疲労を軽減するようにした。【選択図】図１
2006034911.tif 000002
【特許請求の範囲】
【請求項１】
椅子の中芯部に１本の支柱（１）又は芯棒（２）で椅子を支えることによって椅子又は椅子の座席（７）をゆらゆらさせるゆらゆら椅子
【請求項２】
椅子の中芯部の支柱（１）又は芯棒（２）を起点にして椅子又は椅子の座席（７）がゆらゆら状態になること。
【請求項３】
支柱（１）の内側にはめ込んである芯棒（２）
【発明の詳細な説明】
【発明の詳細な説明】
【発明に属する技術分野】
【００１】  この発明は，椅子の座席の中芯部に作った支柱（１）の内側から芯棒（２）を下に押し出して椅子を持ち上げ宙に浮かし，ゆらゆらさせたゆらゆら椅子に関するものである。
【背景技術】
【００２】  従来の椅子は，４本の足で固定されて全く遊びがないものだった。したがって，椅子をゆらゆらさせて気分を転換させたりすることは出来ない。長時間椅子に座って仕事をしていても又講演を聞いていても途中で気分をホットさせることは出来ないので，肩こりや疲労の原因になっていた。
【発明が解決しようとする課題】
【００３】  本発明は，その欠点を無くすために支柱（１）の内側に芯棒（２）を作った。この芯棒を下に押し出すことによって椅子や座席を持ち上げゆらゆらさせて椅子に遊びを作り，ホットした気分に転換させて様々な疲労を軽減させるのを課題として研究を進めた。
【課題を解決するための手段】
【００４】  疲労を軽減するためには時々椅子をゆらゆらさせることである。
その方法はどのようなのが理想かを実験と理論の結果，椅子の中芯部を１本の支柱又は芯棒によって持ち上げることが最上であることを発見した。
【発明を実施するための最良の形態】
【００５】  本発明を実施するために，最初は椅子の座席の中芯部に支柱（１）を１本作った。そして，この支柱の内側に芯棒（２）を作った。つまりこの支柱は，鉄パイプである芯棒（２）を支柱（１）のパイプの内側にはめ込んで作った。芯棒のパイプに取り付けてあるレバー（３）を操作することによって芯棒（２）を出し入れする。
レバー（３）の操作は，中腰になって椅子を傾けてする手動式である。本発明は以上のような構成だからゆらゆら状態になった時には気分が転換され疲労が軽減する。
【発明の効果】
【００６】  本発明は，以上のような構成だからゆらゆら状態になったら無圧力のような心地良さを感じ気分がホットして，さまざまな疲労を軽減する。この椅子も通常は芯棒（２）は引っ込めてあるので普通の固定した椅子である。疲れたりストレスが溜まって来た時に芯棒（２）を押し下げ椅子を宙に浮かし，ゆらゆら状態を作ることによって椅子に遊びが出来て気分がホットする。
なお，芯棒（２）の操作は，手動なのでコストダウンに役立っている。レバー（３）をもう一段押し下げて段差を大きくすれば腰の運動にもなる。すぐに自分に合った心地良いリズムを作ることが出来ると思う。
【図面の簡単な説明】
【図１】      本発明の正面図
【図２】      本発明の底面図
【符号の説明】
１  支柱
２  芯棒
３  レバー
４  鉄板
５  パイプ足
６  止金
７  座席
８  肘掛け
９  芯棒受台
１０  アコーデオン袋
１１  背もたれ支棒
１２  レバーはめこみ
１３  支柱補助カバー
【図１】
2006034911.tif 000003
【図２】
2006034911.tif 000004
(57)【要約】      （修正有）【課題】    傘の骨のある側の布地に収納ポケットを設けた折りたたみ傘を提供する。【解決手段】折りたたみ傘の骨側の布地の縁部に収納ポケットまたは収納バンドを設け、はずした傘袋を収納または取り出しできる折りたたみ傘。【選択図】図５
2006034912.tif 000002
【特許請求の範囲】
【請求項１】
折りたたみ傘本体と折りたたみ傘の骨側の布地の縁部に設けられた収納ポケット、収納バンド等の傘袋を保持する保持具とよりなる袋保持式折りたたみ傘。
【発明の詳細な説明】
【技術分野】
【０００１】  本発明は折りたたみ傘の骨のある側の布地に収納ポケットを設け、傘袋をコンパクトに収納、または取り出すことのできる折りたたみ傘に関するものである。
【背景技術】
【０００２】  従来は折りたたみ傘本体と、これを収納する傘袋が分離した構造となっていた。
【発明の開示】
【発明が解決しようとする課題】
【０００３】  そのために、折りたたみ傘の使用時、はずした傘袋はバッグに入れたり、ズボンのポケットに入れたり、柄のストラップに結んだりしていた。これにより、次のような問題点があった。
折りたたみ傘を使用するとき、はずした傘袋はおきどころがなく、ズボンのポケットやバックの中に入れたり、手に持ったり、柄のストラップに結んでいた為に紛失してしまうことが多々あった。
【課題を解決するための手段】
【０００４】  折りたたみ傘の骨側の布地の縁部に傘袋を収納するための収納ポケットを設ける。本発明は以上の特徴よりなる折りたたみ傘で、使用時には傘袋をまるめたり、折りたたむなどコンパクトにして収納ポケットに収納しておき、傘、使用後には収納ポケットから傘袋を取り出して広げ、折りたたんだ傘をしまうことができる。
【発明の効果】
【０００５】  折りたたみ傘を使用するたびに、はずした傘袋を即、収納ポケットに収納できるので傘袋の紛失防止にきわめて役に立つ、傘袋がぬれることもない。
【発明を実施するための最良の形態】
【０００６】  以下、本発明の形態を説明する。
（イ）  折りたたみ傘の骨（３）側の布地（２）の縁部（５）に傘袋（６）をコンパクトに収納するためのポケット（１）をもうけた構造で、傘袋（６）をたたんだり、丸めたりするなどして収めるサイズの収納ポケット（１）を設けた構造で、傘袋（６）をまとめることにより、弾力性を持ち、落ちない収納構造である。傘本来のデザイン性や機能性をそこなうことなく、極めて簡単に傘袋の出し入れができる。
【以下、他の形態について説明する】
【０００７】  折りたたみ傘の骨（３）側の布地（２）の縁部（５）の際に傘袋（６）を収納するバンド（８）を設けた構造である。バンド（８）は一方を縫いこみ、もう片方はマジックテープ、ホック等でとめる構造でたたんだり、丸めたりした傘袋（６）をバンド（８）と布地との間に収納し、傘本来のデザイン性や機能性をそこなうことなく、極めて簡単に傘袋の出し入れができる。
【図面の簡単な説明】
【０００８】
【図１】本発明の底面図
【図２】本発明の折りたたみ側面図
【図３】本発明の平面図
【図４】本発明の実施例を示す斜視図
【図５】本発明の実施例を示す斜視図
【符号の説明】
【０００９】    １  収納ポケット
２  布地
３  骨
４  柄
５  縁
６  傘袋
７  ストラップ
８  バンド
【図１】
2006034912.tif 000003
【図２】
2006034912.tif 000004
【図３】
2006034912.tif 000005
【図４】
2006034912.tif 000006
【図５】
2006034912.tif 000007
(57)【要約】【目的】スターテングブロックの蹴板に緩衝部材を取付け使用しているが、取付方法は接着剤を使用したり、ビスなとで固定したものであった。  したがって、異なる素材の蹴板と緩衝部材との接着は、スタート時の足の蹴り力で剥離する現象が発生していた他、ビスによる固定は競技者のスパイクの爪が引っ掛る虞があり、競技者心理に少なからず影響を与えている。  そこで、緩衝部材の取付け手段に新たな手段を提供し、記録の更新に寄与しようとするものである。【構成】左右の何れか一方を前方に、他方を後方にして使用される陸上競技用のスターテングブロックにおいて、左右の基板に複数の孔を貫設し、この孔に突起部を嵌挿入して緩衝部材を取付け、該突起部が前記基板の孔から突出した部分に止輪を取付けて蹴板を構成し、また、緩衝部材は、ゴム製であることを特徴とするスターテングブロックである。【選択図】  図２
2006034918.tif 000002
【特許請求の範囲】
【請求項１】
左右の何れか一方を前方に、他方を後方にして使用される陸上競技用のスターテングブロックにおいて、
左右の基板６に複数の孔９を貫設し、この孔９に突起部７を嵌挿入して緩衝部材５を取付け、該突起部７が、前記基板６の孔９から突出した部分に止輪８を取付けて蹴板２を構成したことを特徴とするスターテングブロック。
【請求項２】
基板６の孔に対応する数の突起部７を有する緩衝部材５は、ゴム製であることを特徴とする請求項１記載のスターテングブロック。
【発明の詳細な説明】
【技術分野】
【０００１】  本発明は、陸上競技に使用されるスターテングブロックに係り、特に、緩衝部材を蹴板に取付ける手段に関するものである。
【背景技術】
【０００２】  左右の何れか一方を前方に、他方を後方にして使用される陸上競技のスターテングブロックの蹴板に、緩衝部材を取付けることは知られているが、その取付け方法は単に接着剤を使用したものであったり、或いはビスなとによるものであった。
したがって、異なる素材の蹴板と緩衝部材との接着は、スタート時のダッシュ力の足の蹴りで剥離する現象がしばしば発生していた。また、ビスによる固定は競技者のスパイクの爪が引っ掛る虞があり、競技者の心理に少なからず影響を与えている。
【発明が解決しようとする課題】
【０００３】  本発明は従来品が有する前記説明の諸点に鑑み、蹴板に緩衝部材を取付けるのに新たな手段を提供し、競技者の心理に良い影響を与え、記録の更新に寄与しようとするものである。
【課題を解決するための手段】
【０００４】  本発明は前記目的を達成するため、左右の何れか一方を前方に、他方を後方にして使用される陸上競技用のスターテングブロックにおいて、
複数の孔を設けた左右の基板と、この孔に嵌挿入する突起部を有する緩衝部材と、該突起部７が前記基板６の孔９から突出した部分に取付けて、緩衝部材と基板とを係止する止輪とで蹴板を構成し、また、緩衝部材をゴム製として課題を解決するための手段としている。
【発明を実施するための最良の形態】
【０００５】  本発明実施の形態を実施例に基づき、図１自至図３を参照して説明する。
図１は、本発明を使用した最も一般的なスターテングブロック１を示していて、左右の何れか一方の蹴板２を前方に、他方を後方にして、所望位置で本体３に固定して使用されるタイプのものである。【０００６】  図２は、蹴板２を含み本発明の要部を示したもので、図中符号１１は、蹴板２の角度を調節するとともに、この蹴板２をスタートダッシュ力から支える支柱であって、符号１２は図１の本体３に装着をするための取付け金具である。
そして左右の蹴板２は、複数の孔９を設けた基板６と、該孔９に嵌挿入する突起部７を有する緩衝部材５と、この緩衝部材５の突起部７が、前記基板６の孔９から突出した部分に取付ける止輪８とで構成されている。尚、符号１０は蹴板が備付けられる基台を示している。【０００７】  図３は、蹴板２の構成をより詳細に説明するもので、前記説明の止輪８は、基板６の孔９から突出している緩衝部材５の突起部７に取付けられて、基板６と緩衝部材５とを一体化している。
しかる後に、接着剤による方法を併用すれば、基板に緩衝部材の取付けはより確実なものとなる。ここにおける緩衝部材５はゴム製であることが望ましく、止輪８もまたゴム製であることが、係止状態を保持する上で望ましい結果が得られている。
また、緩衝部材５の突起部７を嵌挿入するための基板６に貫設される孔は、少なくとも６ケ所以上が望ましい。
【発明の効果】
【０００８】  本発明は以上説明のように、左右の何れか一方を前方に、他方を後方にして使用される陸上競技用のスターテングブロックにおいて、
左右の基板６に複数の孔９を貫設し、この孔に突起部７を嵌挿入して緩衝部材５を取付け、該突起部７が前記基板６の孔９から突出した部分に止輪８を取付けて蹴板２を構成し、また、緩衝部材５は、ゴム製であることを特徴とするものであるから、従来品のように、単に接着剤による取付けよりもその固定は確実にして強固で、スタートダッシュ時の蹴りによる力でも剥離することが無いばかりでなく、ビスによる固定方法は必要性が無くなり、このことは、スパイクの爪と取付ビスとの位置関係に関する無用な心配りをせずに済むので競技者に与える心理的な影響の効果は大きく、記録の更新が期待できる。
その上、使用による緩衝部材が磨耗したときは容易に交換できるなとの効果をも奏する。
【図面の簡単な説明】
【図１】本発明に係る最も一般的なスターテングブロックを示している。
【図２】本発明要部の蹴板の構成を説明する図である。
【図３】緩衝材を基板に取付けた蹴板の構成を説明する図である。
【符号の説明】
１スターテングブロック    ２蹴板    ３スターテングブロック本体
５緩衝材    ６基板    ７突起部    ８止輪    ９孔    １０基台    １１支柱
【図１】
2006034918.tif 000003
【図２】
2006034918.tif 000004
【図３】
2006034918.tif 000005
(57)【要約】【課題】  左手に髭櫛、右手に電気カミソリを持ち、左手を上下左右に顔の表面を移動しながら髭を整え、直後髭を剃る事により、短時間で髭の剃りのこしをなくし髭剃りが終わる。ひげそりくしを提供する。【解決手段】  電気カミソリ保護キャップ表面の湾曲上面側面底面に凸部を集め、櫛状にする。側面には、キャップが指と指に固定するための凸部をつくる。髭を整え皮フを引き伸ばし深剃りが出来る櫛を特徴とする、ひげそりくしである。【選択図】      図１
2006034905.tif 000002
【特許請求の範囲】
【請求項１】
電気カミソリ外刃保護キャップ表面の上面側面底面に凸部を集め、櫛状にする。側面には、キャップが指と指に固定しやすくするための凸部をつくる。髭を整え皮フを引き伸ばし深剃りが出来る櫛を特徴とするひげそりくし。
【請求項２】
電気カミソリ保護キャップの変形として、平面図形、凸面上の図形の上に凸部を集め櫛状にした請求項１のひげそりくし。
【請求項３】
電気カミソリ保護キャップの変形として、平面図形、凸面上の図形の上に刷子を集め櫛状にした請求項１のひげそりくし。
【発明の詳細な説明】
【技術分野】
【０００１】  本発明は、電気カミソリ使用中、早く綺麗に確実に剃り、髭剃り効果を飛躍的に高める髭専用櫛です。櫛使用後はカミソリ外刃の保護キャップになる、ひげそりくしに関するものである。
【技術背景】
【０００２】  従来、左手指先などで、顔あご首の髭を掻揚げ、右手の電気カミソリで剃り、繰返し使用しても髭の剃り残しがあった髭剃り補助用具はなっかた。
【発明の開示】
【発明が解決しようとする課題】
【０００３】そのために、次のような問題点があった。
イ）  顔、あご、首の髭は、角度方向が一定でないため剃り残しが発生。長時間髭剃りをすると、カミソリの外刃内刃をいため皮フを傷つける。
ロ）  剃刀、電気カミソリの使用後、努力しても剃れない部位が有り、カミソリの性能を十分に発揮できず、毎日不満感をもつ。
ハ）  散髪は櫛と鋏で整髪するが、髭剃は剃刀または電気カミソリだけで剃るため、電気カミソリの効果を十分に発揮する事ができなかった。
本発明は、これらの問題点を解決するためになされたものである。
【課題を解決するための手段】
【０００４】  保護キャップ表面の、湾曲上面、側面、底面に凸部が集まる櫛歯をつくり側面にはキャップが指と指に固定しやすくするために凸部をつくる。
髭を整え、皮フを引き伸ばし深剃りが出来る櫛。
以上を特徴とするひげそりくしである。
【発明の効果】
【０００５】  髭櫛を使い癖毛巻毛の髭を起し整えながら剃るため、髭の剃りのこしがなく短時間で終わる。電気カミソリと髭櫛を同時使用する事ににより１００％満足感信頼感が得られる。
【発明を実施するための最良の形態】
【０００６】  以下、本発明の実施の形態について説明する。
イ）  湾曲したキャップ表面に凸部を設ける。キャップ上面部に有る櫛状凸部を▲１▼とし、底面部櫛状凸部を▲２▼とし、側面部凸部を▲３▼とする。
ロ）  キャップ凸部▲１▼▲２▼は、髭の巻毛癖毛を整え髭を起す。
ハ）  キャップ凸部▲３▼は、左手の手の平側指にキャップを挟み、挟んだ左右の指の甲上部に掛かり指の一部として固定される。
ニ）  左手指に固定された櫛状キャップは、顔あご首を左右上下に接しながら移動すると同時に、電気カミソリで髭を剃る。
【図面の簡単な説明】
【０００７】  （請求項１）に関する図【図１】本発明の使用説明図
【図２】本発明の使用説明図
【図３】本発明の斜視図
【図４】本発明の図３をＡ−Ａ′で切断した断面図
【図５】本発明のキャップ上面部に有る櫛状凸部の拡大部分上面図
【図６】本発明の図５をＢ−Ｂ′で切断した拡大部分断面図
【図７】本発明のキャップ底面部に有る櫛状凸部の拡大部分上面図
【図８】本発明の図７をＣ−Ｃ′で切断した拡大部分断面図  （請求項２）に関する図
【図９】本発明の使用説明図
【図１０】本発明の側面展開図であり部分凸部は（請求項１）にある図５と同じ。
【図１１】本発明の図１０をＤ−Ｄ′で切断した断面図であり部分凸部は（請求項１）に有る図６と同じ。
【図１２】本発明の底面部。  （請求項３）に関する図
【図１３】本発明の側面展開図であり部分凸部は凸面上の図形にある刷子
【図１４】本発明の上面部にある刷子の凸部上面部
【図１５】本発明の平面部にある刷子の側面図
【図１６】本発明の上面部に有る刷子平面部の上面図
【符号の説明】
【０００８】１  上面部櫛状凸部
２  底面部櫛状凸部
３  側面凸部
４  上面部に有る刷子集合凸部
【図１】
2006034905.tif 000003
【図２】
2006034905.tif 000004
【図３】
2006034905.tif 000005
【図４】
2006034905.tif 000006
【図５】
2006034905.tif 000007
【図６】
2006034905.tif 000008
【図７】
2006034905.tif 000009
【図８】
2006034905.tif 000010
【図９】
2006034905.tif 000011
【図１０】
2006034905.tif 000012
【図１１】
2006034905.tif 000013
【図１２】
2006034905.tif 000014
【図１３】
2006034905.tif 000015
【図１４】
2006034905.tif 000016
【図１５】
2006034905.tif 000017
【図１６】
2006034905.tif 000018
(57)【要約】【課題】ケースに組み込まれたシンプルな形状のブロック群。ブロックの各面それぞれに、色彩学的観点に基づいて２４色を矛盾なく規則的に配色した。年齢にかかわらず創造力を喚起させる、様々な色と造形の遊びを楽しむことができ、同時に色に対する理解やカラーセンスが養われるように考えられたカラーブロックを提案する。【解決手段】ブロックの厚みを基に、その倍数の長さの辺を含む立体構成とすることで、正面の色を変えたり組み合わせたりし易くした。配色に於いては、各ブロックの平行する面が全て補色となるように規則性を持たせ、点対称に組んだブロック群全体にカラーオーダー２４色環を当てはめた。また厚みを一辺とする立方体、及び同体積の三角柱に純色を置き、凡その体積比に沿って淡色方向に明度階層を付ける規則性を合わせた。さらに白と黒の例外ブロックを加えて、遊びの幅を広げた。【選択図】    図１
2006034991.tif 000002
【特許請求の範囲】
【請求項１】
ブロックの厚みを単位とし、その倍数の長さの辺を含むシンプルな形のブロック群をカラーオーダーに基づく２４色で色分けしたもので、各ブロックの平行する対面が補色と成るようにし、全体に２４色環を当てはめるように矛盾なく色相を割り振り（白、黒は例外とする）、最小ブロックに純色を当て、大凡の体積比に沿って淡色方向に明度差をつけるという規則性を持たせて彩色されたカラーブロック。
【発明の詳細な説明】
【技術分野】
【０００１】
本発明は、色彩学的観点に基づき配色されたブロック群により、様々なカラーコーディネイトとイメージの造形を可能とした知育玩具に関するものである。
【背景技術】
【０００２】
これだけ様々な色にあふれた時代にあって、幼児は早くから色の識別能力があると明らかにされているにもかかわらず、幼児玩具に於いては原色もどきの単調な色が多く使われ、色彩感覚を豊かにするという視点に乏しいと言わざるを得ない。ある程度年齢を経ても、色鉛筆やクレヨンなどの画材や折り紙の外に、色の種類を理解し、多くの色数を使って遊べる知育玩具は無かった。
【０００３】
従来の着色された積み木及びブロックは、ブロックごとに単色で塗られているものや、正面だけに着色されたものなどが多く、遊び方も限られていた。構成ブロックの各面の色に２４色を配し、カラーコーディネートを楽しめ，色で遊べるように工夫されたブロックは無かった。
【発明の開示】
【発明が解決しようとする課題】
【０００４】
規則性を持った形状と配色により、遊びながら色彩感覚と創造力を養う知育玩具としてのカラーブロック。
【課題を解決するための手段】
【０００５】
色彩学的観点に基づき、ブロック全体にカラーオーダーに於ける２４色環を意識した配色とし、各ブロックも対面が全て補色（白、黒を除く）となるような規則性を持たせた。更に最小ブロックに純色を置き、およその体積比に沿って淡色方向へ明度階層を設けた。また構成ブロックの厚みを単位とし、その倍数の長さの辺を含む立体とすることで、積んだり組み合わせたりし易く、回転させて色を変えたりすることが容易な形状とした。これらの工夫により様々な色の対比やイメージの表現が可能なカラーブロックとした。
【発明の効果】
【０００６】
カラースケールの如く正確に彩色される事により、多くの色に親しみ、色彩感覚を豊かにするべく色の教材としての価値を持つものである。更に幾何学的要素及び色彩学的要素を持たせることで、様々な造形とカラーコーディネートが可能となり、幼児からお年寄りまで年齢に関わらず楽しめるコミニュケーションツールとしての役割も期待できる。
【発明を実施するための最良の形態】
【０００７】
構成ブロックに於いて、六面体はカラーオーダー２４色環を六等分した位置にある色を各面の色とし、並行する対面に補色の関係が成立する構成とした。これを基本に４５度になる面にはその中間にあたる色相を配し、曲面は1面と考えることでそれぞれが単体で色相バランスを保つようにした。また、同形・同色（４５度の面は補色）のブロックを中心点Ｏより点対称に置くことで、全ての面に補色の関係が成立するような配色とした。更に、厚みを単位とする立方体及び同体積の三角柱に純色を当て、凡その体積比（円弧の部分は四捨五入）に沿って淡色方向に７段階の明度階層をつけることで、相似形でグラデーションを形成するようにした。これらの条件を踏まえ、８０ピースに絞ってケースに四角くまとめたものを基本パターンとした（図１）。ここで選ばれなかった色や形の追加や、パターンを変えた拡張版も同様の規則性に基づき製作可能である。（図２，３，4）。
【実施例１】
【０００８】
（図１）は、赤と黄そしてその補色の青緑と青紫の色相を四方にある立方体及び直方体のブロックに置き、これに例外ブロックとして3面ずつ白と黒に彩色された立方体と、先の立方体及び直方体の小口の色を正面と背面に据え、平面と底面に白と黒を配した例外ブロックを加えた基本パターン（意匠登録第１２３６９４５号）である。
【実施例２】
【０００９】
（図２）は、（図１）の基本パターンに遊び勝手を考えて、更なる改良を加えたパターンである。外側にある白と黒の例外ブロックを増やして９６ピースとし、ブロック群の全体を正方形にまとめた。
【実施例３】
【００１０】
（図３）は、２３２ピースの高度なパターンで、正面が半円と台形のブロックのみ１２色となるが、あとは全て２４色選択できることから高度な色の教材としての利用が考えられる。難解であるが、よりデリケートに色の組み合わせを考えられるので、究極的なイメージ表現が可能である。
【実施例４】
【００１１】
（図４）は、六面体のブロック２４色とL型のブロック１２色でできた１２０ピースのパターン。全て９０度で組み合わされていて単純であることから、色の選択がしやすく理解もしやすい構成である。
【産業上の利用可能性】
【００１２】
幼児期から多くの色に親しむことで色彩感覚を豊かにさせる幼児玩具として、また年齢層にかかわらず色彩と造形による様々な創造性のある遊びができる知育玩具として、あるいはおしゃれなインテリアグッズとして、一般家庭での利用は勿論、幼稚園や保育園などの幼児施設、及び老人やリハビリを必要とする福祉施設などでの利用が考えられる。更に、補助教材として色彩教育の現場などでも広く利用される可能性がある。
【図面の簡単な説明】
【００１３】
【図１】ケースに組み込んである８０ピースの基本パターン（意匠登録第１２３６９４５号）
【図２】図２の基本パターンに例外の白と黒のブロックを増やした９６ピースの改良版
【図３】色の選択肢の幅を極力増やした２３２ピースの教材用のパターン
【図４】立方体、直方体、L型のブロックのみを合わせた１２０ピースのパターン
【符号の説明】
【００１４】
１  パターンの中心点O、（点対象となるブロック群の中心点。）
２  赤、マンセル記号４R（PCCI  24色環に準拠した。）
３  青緑、マンセル記号５BG（２の赤と補色である。）
４  黄、マンセル記号５Y（24色環上で赤から4等分された位置にある色である。）  
５  青紫、マンセル記号９PB（４の黄と補色である。）
【図１】
2006034991.tif 000003
【図２】
2006034991.tif 000004
【図３】
2006034991.tif 000005
【図４】
2006034991.tif 000006